(57)【要約】      （修正有）【課題】発熱ユニットに対する冷却能力を向上させるような構造体を形成された屋外設置型の電子機器収容箱を提供する。【解決手段】電子機器収容箱は、電子機器を収容する収容部６を備えた屋外設置型の電子機器収容箱であって、電子機器収容箱は、収容部６の上部に有する内部排気口２から排気される電子機器からの排気を外部へ導く天井板３を備え、電子機器からの排気を外部へ導くために、天井板３は、収容部６の上部の任意の位置に取り付けられた複数の天井板取付け用柱４を介して固定され、天井板３の全周囲から外部へ排気されるような排気用間隙５を保つ間隙構造に形成されて収容部６の上部に配置され、電子機器の冷却が行えるように構成された。【選択図】図１
2007234922.tif 000002
【特許請求の範囲】
【請求項１】
電子機器を収容する収容部を備えた屋外設置型の電子機器収容箱であって、
該電子機器収容箱は、前記収容部の上部に有する内部排気口から排気される前記電子機器からの該排気を外部へ導く天井板を備え、
前記電子機器からの前記排気を外部へ導くために、該天井板は、前記収容部の上部の任意の位置に取り付けられた複数の天井板取付け用柱を介して固定され、該天井板の全周囲から該外部へ排気されるような排気用間隙を保つ間隙構造に形成されて前記収容部の上部に配置され、
前記電子機器の冷却が行えるように構成された電子機器収容箱。
【発明の詳細な説明】
【技術分野】
【０００１】
本発明は、冷却装置の構造に関し、特に屋外設置型の電子機器収容箱に関する。
【背景技術】
【０００２】
携帯電話システムなど移動通信システムにおける無線基地局設備や中継器などの屋外設置用の電子機器は、その放熱のための排気性と雨水侵入の防雨性の両方の特性を保つように保護された電子機器の収容部を有する電子機器収容箱が用いられてきた。
この電子機器収容箱として従来は図３の斜視図に示されるような構成を有するものがあった。
屋外で用いられる電子機器を収容する従来の屋外設置型の電子機器収容箱は、その上部に電子機器の発熱を排気により逃がすための内部排気口２を有する収容箱本体１と、この収容箱本体１の上面に排気を外気に導くための排気用間隙５ａ、５ｂをおいて収容箱本体１の上面を覆って収容箱本体１の上面の２辺と平行に取り付けられた２つの天井板取付け用アングル８によって固定された天井板３とを備えたものである。
この屋外設置型の電子機器収容箱に設けた収容部６内には、図示してはいないが、送信ユニットおよび電源などの発熱ユニットと冷却ファンを構成とした電子機器が収容される。
電子機器の冷却ファンによって収容箱本体１の底面から強制吸気された外気は、電子機器の発熱ユニットを冷却し、そこで熱せられた空気流が収容箱本体１の上面の内部排気口２を介して天井板３の２辺に有する排気のための排気用間隙５ａ、５ｂから主に外部へ排気される。
この際、天井板取付け用アングル８はコの字形のアングル形状の金具が用いられ、コの字形のアングル８には空気流用の孔が形成されているが、アングルに突き当たる空気流は渦流などの発生により排気通路が遮断される現象が生じる。
従って、外部への排気はコの字形の概ねアングル８に平行な他の２方向（排気ａ、排気ｂ）となり、放熱効果に限界があった。
高増幅、小形化、高密度化が進む電子機器に対して収容箱の排気能力の低下が認められた。
【０００３】
通風を良くして放熱効果を改善し、結露や雨水の巻き込みなどによる電子機器への水滴の落下をもなくし、かつ、小形化を図ったものがあった。（例えば、特許文献１参照）。
【０００４】
【特許文献１】特開平１１−１１５３４号公報（図１）
【発明の開示】
【発明が解決しようとする課題】
【０００５】
携帯電話システムなど移動通信システムにおける無線基地局設備として、中継器などの電子機器を収容した屋外設置型の収容箱には、防雨性と放熱性の両方の特性が求められる。
近年、これら中継器などの電子機器のうち共通増幅器に見られるように広帯域、高増幅、小形化、高密度実装が進み、それに伴い送信および電源ユニットなどの発熱ユニットからの単位体積当りの発熱量が増加され、これに対応するような放熱特性を有する構造体の収容箱が求められた。
【０００６】
本発明の目的は、上記従来技術の課題を解決し、発熱ユニットに対する冷却能力を向上させるような構造体を形成された屋外設置型の電子機器収容箱を提供することにある。
【課題を解決するための手段】
【０００７】
この目的を達成するために、本発明の電子機器収容箱は、電子機器を収容する収容部を備えた屋外設置型の電子機器収容箱であって、
該電子機器収容箱は、前記収容部の上部に有する内部排気口から排気される前記電子機器からの該排気を外部へ導く天井板を備え、
前記電子機器からの前記排気を外部へ導くために、該天井板は、前記収容部の上部の任意の位置に取り付けられた複数の天井板取付け用柱を介して固定され、該天井板の全周囲から該外部へ排気されるような排気用間隙を保つ間隙構造に形成されて前記収容部の上部に配置され、
前記電子機器の冷却が行えるように構成された。
【発明の効果】
【０００８】
本発明を実施すれば、中継器などの屋外設置電子機器のうち共通増幅器に見られるように広帯域、高増幅、小形化が進められる送信ユニットおよび電源ユニットなどの発熱ユニットからの所定の発熱量を外部に排気放熱することができ、低価格の電子機器収容箱による発熱ユニットの冷却が行える。
【発明を実施するための最良の形態】
【０００９】
図１は本発明の屋外設置型の電子機器収容箱の斜視図である。
１は、電子機器収容箱の防護用の側板が張られ、上面に排気のための上方開口部を有する収容箱本体である。
２は、収容箱本体１の上面にあって、収容箱本体１の上面に上方開口部が形成された電子機器の発熱を排気により収容箱本体１の上面へ逃がすための内部排気口である。
３は、収容箱本体１の上面に有する内部排気口からの排気を外部へ導くための排気用間隙をおいて収容箱本体１の上面を覆って固定され、防護性、防雨性および放熱通気性の特性を有する天井板である。
４は、天井板３を収容箱本体１の上面に固定させるために、収容箱本体１の上面の任意の位置（例示では６箇所）に取り付けられた複数本（６本）の天井板取付け用柱である。
５ａ、５ｂ、５ｃ、５ｄは、内部排気口２から上方向に排出された排気流を収容箱本体１の上面と天井板３との間に天井板３の全周囲となる４辺方向に導き収容箱本体１の前後左右から外部へ排気させるために天井板取付け用柱４によって形成された間隙構造とする排気用間隙である。
６は、内部に電子機器が収容され、下部から外気を吸気する吸気口を有し、上部に収容箱本体１の上面に通じる内部排気口２を有する電子機器収容箱の収容部である。この収容部６の上部には収容箱本体１の上面が構造化されている。
７は、電子機器収容箱の前面防護用の金属板が前面に貼られ、防雨構造を有し、収容箱の前面にあって、開けることによって前面より電子機器を収容、取り出し、メンテナンスが行える前面開口部を有する収容箱扉である。
図示してはいないが、収納部６には電子機器が収納され、電子機器は、収容箱本体１に有する内部排気口２の下部に位置するように、発熱ユニットである送信ユニットおよび電源ユニットが配設され、更にその下部位に強制空冷用の冷却ファンが配設されている。冷却ファンの下部は収容箱本体１の吸気口となる。
【００１０】
図２は、本発明の屋外設置型の電子機器収容箱の断面部分図であり、図１Ｄ―Ｄ’断面を図２（Ａ）に示し、図１Ｅ―Ｅ’断面を図２（Ｂ）に示す。
電子機器が収納された本発明の屋外設置型の電子機器収容箱の排気について図１及び図２を参照して説明する。
収容箱本体１の底面に備えた吸気口から外気温である空気が冷却ファンの強制吸気により吸気される。
強制吸気された外気温の空気流が発熱ユニットの発熱箇所に当てられ、発熱ユニットは外気温の空気流によって冷却される。
発熱ユニットの発熱箇所に当てられ暖められた空気流は収容箱本体１の上面に配設された内部排気口２より上方に放出される。
内部排気口２より上方に放出された空気流は、天井板２の内壁面によって前後左右に方向変換され、収容箱本体１の上面と天井板２との間に形成された内部の間隙ｈへと導かれる。
収容箱本体１の上面と天井板２との間に形成された内部の間隙ｈへと導かれた空気流は、この間隙ｈを通過して、収容箱本体１の上面と天井板２の間の全周囲端である４辺から外部に排気させるために形成された前側の排気用間隙５ａより排気ａとなり、後側の排気用間隙５ｂより排気ｂとなり、右側の排気用間隙５ｃより排気ｃとなり、左側の排気用間隙５ｄより排気ｄとなり、それぞれの間隙から熱せられた空気流が排気される。
この際、複数本（６本）の天井板取付け用柱４のそれぞれは、空気流を遮断することがなく、渦流などが生じることもなく、排気の空気通路が前後左右に確保されるような細い柱に形成されている。
以上の説明によって、収容箱本体上面と天井板との間に形成された間隙および排気用間隙が良好な空気流を確保し電子機器に対し所定の冷却が行なえる構成をもった屋外設置型の電子機器収容箱である。
【産業上の利用可能性】
【００１１】
本発明は、移動通信又は固定通信に用いられる無線通信システムに適用されて通信事業等に利用することができる。
【図面の簡単な説明】
【００１２】
【図１】本発明の屋外設置型の電子機器収容箱の斜視図である。
【図２】本発明の屋外設置型の電子機器収容箱の断面部分図である。
【図３】従来技術の屋外設置型の電子機器収容箱の斜視図である。
【符号の説明】
【００１３】
１  収容箱本体
２  内部排気口
３  天井板
４  天井板取付け用柱
５  排気用間隙
６  収容部
７  収容箱扉
８  天井板取付け用アングル
【図１】
2007234922.tif 000003
【図２】
2007234922.tif 000004
【図３】
2007234922.tif 000005